(57)【要約】【課題】誰でも簡単、かつ迅速に着装することができ、しかも着こなしが容易で着崩れしにくいために、着姿が常に美麗になるように構成された立体縫製きものを提供する。【解決手段】  上衣部１０の下端縁、下衣部２０の上端縁、ならびにお端折り部３０の上端縁とが一線上で縫着され、お端折り部３０の下端縁は垂れ下がるように形成され、上部左前身頃と上部右前身頃とを、それぞれ下部左前身頃と下部右前身頃とに対して、上部後身頃側にずらして縫製することにより、上部左前身頃と上部右前身頃とに生地重ね部を設け、上部左前身頃から生地重ね部を除いた部分の前幅と上部右衽の幅とを合わせた寸法は、下部左前身頃の前幅と同寸法であり、上部右前身頃から生地重ね部を除いた部分の前幅と、上部左衽の幅とを合わせた寸法は、下部右前身頃の前幅と同寸法である。【選択図】  図１
2007247135.tif 000002
【特許請求の範囲】
【請求項１】
上部左前身頃と上部右前身頃（右前身頃）と上部後身頃と上部右衽と上部左衽と衿と袖とからなる上衣部と、
下部左前身頃と下部右前身頃と下部後身頃と下部右衽と下部左衽とからなる下衣部と、
お端折り部左前身頃とお端折り部右前身頃とお端折り部後身頃とお端折り部左衽とお端折り衿一体部とからなるお端折り部と、
から構成され、
前記上衣部の下端縁、前記下衣部の上端縁、ならびに前記お端折り部の上端縁とが一線上で縫着され、前記お端折り部の下端縁は垂れ下がるように形成され、
上部左前身頃と上部右前身頃とを、それぞれ下部左前身頃と下部右前身頃とに対して、上部後身頃側にずらして縫製することにより、前記上部左前身頃と前記上部右前身頃とに生地重ね部を設け、
前記上部左前身頃から前記生地重ね部を除いた部分の前幅と上部右衽の幅とを合わせた寸法は、下部左前身頃の前幅と同寸法であり、
前記上部右前身頃から前記生地重ね部を除いた部分の前幅と、上部左衽の幅とを合わせた寸法は、下部右前身頃の前幅と同寸法であることを特徴とする立体縫製きもの。
【請求項２】
上部左前身頃と上部右前身頃と上部後身頃と上部右衽と上部左衽と衿と袖とからなる上衣部と、
下部左前身頃と下部右前身頃と下部後身頃と下部右衽と下部左衽とからなる下衣部と、
お端折り部左前身頃とお端折り部右前身頃とお端折り部後身頃とお端折り部左衽とお端折り衿一体部とからなるお端折り部と、
から構成され、
前記上衣部の下端縁、前記下衣部の上端縁、ならびに前記お端折り部の上端縁とが一線上で縫着され、前記お端折り部の下端縁は垂れ下がるように形成され、
少なくとも右において、お端折り部の端部と下部右衽の端部とが縫着されておらず、各々独立してなることを特徴とする立体縫製きもの。
【請求項３】
上部左前身頃と上部右前身頃と上部後身頃と上部右衽と上部左衽と衿と袖とからなる上衣部と、
下部左前身頃と下部右前身頃と下部後身頃と下部右衽と下部左衽とからなる下衣部と、
お端折り部左前身頃とお端折り部右前身頃とお端折り部後身頃とお端折り部左衽とお端折り衿一体部とからなるお端折り部と、
から構成され、
前記上衣部の下端縁、前記下衣部の上端縁、ならびに前記お端折り部の上端縁とが一線上で縫着され、前記お端折り部の下端縁は垂れ下がるように形成され、
上衣部を構成する左右の両衿先がお端折り部の上端よりも下方に垂れ下がり、前記両衿先の端部と前記お端折り部の上側端とが縫着されておらず、各々独立してなることを特徴とする立体縫製きもの。
【請求項４】
上部左前身頃と上部右前身頃と上部後身頃と上部右衽と上部左衽と衿と袖とからなる上衣部と、
下部左前身頃と下部右前身頃と下部後身頃と下部右衽と下部左衽とからなる下衣部と、
お端折り部左前身頃とお端折り部右前身頃とお端折り部後身頃とお端折り部左衽とお端折り衿一体部とからなるお端折り部と、
から構成され、
前記上衣部の下端縁、前記下衣部の上端縁、ならびに前記お端折り部の上端縁とが一線上で縫着され、前記お端折り部の下端縁は垂れ下がるように形成され、
上部後身頃における脇線から背中心までの幅を１とした際、前記上部後身頃の脇線から背中心に向けて１/３の幅までの間において、前記上部後身頃の下端部にタックを設けることを特徴とする立体縫製きもの。
【請求項５】
上部左前身頃と上部右前身頃と上部後身頃と上部右衽と上部左衽と衿と袖とからなる上衣部と、
下部左前身頃と下部右前身頃と下部後身頃と下部右衽と下部左衽とからなる下衣部と、
お端折り部左前身頃とお端折り部右前身頃とお端折り部後身頃とお端折り部左衽とお端折り衿一体部とからなるお端折り部と、
から構成され、
前記上衣部の下端縁、前記下衣部の上端縁、ならびに前記お端折り部の上端縁とが一線上で縫着され、前記お端折り部の下端縁は垂れ下がるように形成されてなり、
２本のウエストベルトと、前記２本のウエストベルトを挿通するための２つのループとを有しており、
前記ウエストベルトの一つは、その一端が、右の身八ツ口付近であって前記お端折り部上端の裏側に取り付けられており、前記ウエストベルトのもう一つは、その一端が、左の身八ツ口付近であって、前記お端折り部上端の表側に取り付けられており、
前記２つのループは、それぞれ、前記下部右衽の褄下上端部、及び前記下部左衽の褄下上端部に設けられ、
着用者の体型に適合するように、裁断、及び曲線縫製された立体縫製きものにおいて、
少なくとも前記下部右衽の褄下上端部に設けられるループが、前記下部右衽の上端部に突出して取り付けられることを特徴とする立体縫製きもの。
【発明の詳細な説明】
【技術分野】
【０００１】
本発明は、誰でも簡単、かつ迅速に着装することができ、しかも着こなしが容易で着崩れしにくいために、着姿が常に美麗になるように構成された立体縫製きものに関する。
【背景技術】
【０００２】
従来から知られている一般的なきものは、身体を包む身頃と衽、左右の腕を通す一対の袖と、首の周囲から前側にかけて形成された衿とから構成されている。前記身頃は前身頃と後身頃とからなり、各々左右の身頃から構成される。
このような従来の一般的なきものは、着装するに際してその前身頃を身体の前方にて重ね、腰紐や腰ベルトなどで固定してお端折りを形成すると共に裾の長さを着用者に対応した長さに決め、その上に帯を結ぶというものであった。
【０００３】
他方、従来から、こうした一般的なきものを着易くするために改良された立体縫製きものも知られている。立体縫製きものは、縫製した際に着用者の身体に適合するように予め裁断された上衣部、お端折り部、下衣部からなり、曲線縫製されることにより立体的に構成されるように設計してあるきものである。
【０００４】
立体縫製きものの構成は、上部前身頃、上部後身頃、上部衽、衿、ならびに袖からなる前記上衣部、下部前身頃、下部後身頃、ならびに下部衽からなる前記下衣部、さらに前記上衣部と前記下衣部の間に設けられる前記お端折り部とからなる。立体縫製きものを構成する各々の部位は、着用者の身体における所定箇所を採寸し、用いる生地の裁断条件を最適化してあるため、一般的なきものに比較して、お端折りの始末や体型の補正などの手間が要らず、和服を着慣れない人でも容易に着装することができるように構成されている。
【０００５】
また、立体縫製きものをより着易くしたり、その着崩れを防いだりするために、スナップ釦とそれを介挿させるためのループを用いることにより半衿の着脱を容易にしたり、きものを身体に固定するためのベルトを挿通するためのループを付与したりした立体縫製きものも知られている。
【特許文献１】特公平５-６５６０１号公報
【特許文献２】実公昭６３-２４０４号公報
【発明の開示】
【発明が解決しようとする課題】
【０００６】
しかし、従来から知られる立体縫製きものは上記のように改良されて来たにも拘らず、着易さや着崩れにくさ、着装した際の美麗さにおいて、未だ改良の余地があるものであった。
すなわち、従来より知られる立体縫製きものにおいては、上衣部を構成する上部前身頃や上部衽の下部前身頃や下部衽からなる下衣部に対する前幅の関係などが特定されていないために、特に長時間装着した際などに衿元にだぶつきを生じることがあったり、きものを着装するために取り付けられた２本のウエストベルトを各々挿通するためのループが、お端折りの端部横方向に突出して設けられているために、着装した際にウエスト部分の締め付けが起こったり不自然な皺が生じたりしていた。
【０００７】
また、お端折り部の端部と下部衽の端部とが縫着されていたり、上部後身頃に設けられるタックが背中心に近かったりするため、上部前身頃や下部前身頃、上部後身頃などに不自然な皺を生じる原因となったり、衿が短いために衿元の乱れを直すのが困難だったりし、着装した際の美麗さ、着崩れした際の手直しの容易さに不十分である点があった。
【課題を解決するための手段】
【０００８】
本発明者らは、上記課題を解決するために鋭意検討を行った結果、細部について改良を施すことにより、より着易く、着崩れしにくく、かつ不自然な皺などを極力生ぜずに、より自然に着こなせる立体縫製きものとすることができることを見出し、本願発明を完成するに至った。
【０００９】
すなわち、本発明は、
（１）
上部左前身頃と上部右前身頃と上部後身頃と上部右衽と上部左衽と衿と袖とからなる上衣部と、
下部左前身頃と下部右前身頃と下部後身頃と下部右衽と下部左衽とからなる下衣部と、
お端折り部左前身頃とお端折り部右前身頃とお端折り部後身頃とお端折り部右衽とお端折り衿一体部とからなるお端折り部と、
から構成され、
前記上衣部の下端縁、前記下衣部の上端縁、ならびに前記お端折り部の上端縁とが一線上で縫着され、前記お端折り部の下端縁は垂れ下がるように形成され、
上部左前身頃と上部右前身頃とを、それぞれ下部左前身頃と下部右前身頃とに対して、上部後身頃側にずらして縫製することにより、前記上部左前身頃と前記上部右前身頃とに生地重ね部を設け、
前記上部左前身頃から前記生地重ね部を除いた部分の前幅と上部右衽の幅とを合わせた寸法は、下部左前身頃の前幅と同寸法であり、
前記上部右前身頃から前記生地重ね部を除いた部分の前幅と、上部左衽の幅とを合わせた寸法は、下部右前身頃の前幅と同寸法であることを特徴とする立体縫製きもの。
（２）
上部左前身頃と上部右前身頃と上部後身頃と上部右衽と上部左衽と衿と袖とからなる上衣部と、
下部左前身頃と下部右前身頃と下部後身頃と下部右衽と下部左衽とからなる下衣部と、
お端折り部左前身頃とお端折り部右前身頃とお端折り部後身頃とお端折り部右衽とお端折り衿一体部とからなるお端折り部と、
から構成され、
前記上衣部の下端縁、前記下衣部の上端縁、ならびに前記お端折り部の上端縁とが一線上で縫着され、前記お端折り部の下端縁は垂れ下がるように形成され、
少なくとも右において、お端折り部の端部と下部右衽の端部とが縫着されておらず、各々独立してなることを特徴とする立体縫製きもの。
（３）
上部左前身頃と上部右前身頃と上部後身頃と上部右衽と上部左衽と衿と袖とからなる上衣部と、
下部左前身頃と下部右前身頃と下部後身頃と下部右衽と下部左衽とからなる下衣部と、
お端折り部左前身頃とお端折り部右前身頃とお端折り部後身頃とお端折り部右衽とお端折り衿一体部とからなるお端折り部と、
から構成され、
前記上衣部の下端縁、前記下衣部の上端縁、ならびに前記お端折り部の上端縁とが一線上で縫着され、前記お端折り部の下端縁は垂れ下がるように形成され、
上衣部を構成する左右の両衿先がお端折り部の上端よりも下方に垂れ下がり、前記両衿先の端部と前記お端折り部の上側端とが縫着されておらず、各々独立してなることを特徴とする請求項１〜３のいずれか一項に記載の立体縫製きもの。
（４）
上部後身頃における脇線から背中心までの幅を１とした際、前記上部後身頃の脇線から背中心に向けて１/３の幅までの間において、前記上部後身頃の下端部にタックを設けることを特徴とする立体縫製きもの。
（５）
上部左前身頃と上部右前身頃と上部後身頃と上部右衽と上部左衽と衿と袖とからなる上衣部と、
下部左前身頃と下部右前身頃と下部後身頃と下部右衽と下部左衽とからなる下衣部と、
お端折り部左前身頃とお端折り部右前身頃とお端折り部後身頃とお端折り部右衽とお端折り衿一体部とからなるお端折り部と、
から構成され、
前記上衣部の下端縁、前記下衣部の上端縁、ならびに前記お端折り部の上端縁とが一線上で縫着され、前記お端折り部の下端縁は垂れ下がるように形成されてなり、
２本のウエストベルトと、前記２本のウエストベルトを挿通するための２つのループとを有しており、
前記ウエストベルトの一つは、その一端が、右の身八ツ口付近であって前記お端折り部上端の裏側に取り付けられており、前記ウエストベルトのもう一つは、その一端が、左の身八ツ口付近であって、前記お端折り部上端の表側に取り付けられており、
前記２つのループは、それぞれ、前記下部右衽の褄下上端部、及び前記下部左衽の褄下上端部に設けられ、
着用者の体型に適合するように、裁断、及び曲線縫製された立体縫製きものにおいて、
少なくとも前記下部右衽の褄下上端部に設けられるループが、前記下部右衽の上端部に突出して取り付けられることを特徴とする立体縫製きもの。
【００１０】
本発明の立体縫製きものは、上衣部と下衣部とお端折り部とから構成され、前記上衣部は上部左前身頃と上部右前身頃と上部後身頃と上部右衽と上部左衽と衿と袖とからなり、前記下衣部は下部左前身頃と下部右前身頃と下部後身頃と下部右衽と下部左衽とからなり、前記お端折り部はお端折り衿一体部とお端折り部右衽とお端折り部左前身頃とお端折り部右前身頃とお端折り部後身頃とからなる。
また、前記上部左前身頃と前記上部右衽と前記下部左前身頃と前記下部右衽と、前記お端折り部左前身頃と前記お端折り部右衽と前記お端折り部におけるお端折り衿一体部とは、本発明の立体縫製きものの右を形成し、前記上部右前身頃と前記上部左衽と前記下部右前身頃と前記下部左衽と前記おはし折部右前身頃と前記お端折り部におけるお端折り衿一体部とは、本発明の立体縫製きものの左を形成する。
なお、きものにおいて、右とは着装時に前側となる身頃のことである。以下、左側が右であり、右側が左であるきものの場合について記載する。
さらに、前記上部左前身頃と前記上部右前身頃とを併せて以下「上部前身頃」と呼び、前記下部左前身頃と前記下部右前身頃とを併せて以下「下部前身頃」と呼び、前記上部右衽と前記上部左衽とを併せて以下「上部衽」と呼び、前記下部右衽と前記下部左衽とを併せて以下「下部衽」と呼ぶことがある。
【００１１】
本発明の立体縫製きものは、これを構成する前記各々の部位に用いる生地について、着用者の身体における所定箇所を採寸してその体型に適合するように裁断条件を予め最適化し、これに基づいて生地を裁断して縫製し、前記上衣部の下端縁、前記下衣部の上端縁、ならびに前記お端折り部の上端縁とを一線上で縫着し、前記お端折り部の下端縁は垂れ下がるようにして縫製することにより得られる。
上記（１）の構成を採用することにより、（１）の作用に加えて、前記上部前身頃と前記上部衽、及び前記お端折り部や前記下部前身頃における前幅の関係が明らかとされ、従来の立体縫製きものにおける上部衽に比して、前記上部衽において衿付け斜線に縫着される部位における生地の裁断を前記上部前身頃側にずらして小さく設定することにより、着装した際に衿元がだぶつかずにすっきりとし、胸元が綺麗に出る。
【００１２】
上記（２）の構成を採用することにより、着装時に下部衽に取り付けられたループにウエストベルトが挿通され、お端折り部に横方向への引っ張りが生じるが、前記お端折り部は独立しているためにその引っ張りに影響されることが少なく、着用者の腹部の膨らみなどに柔軟に対応することができ、不自然な皺が生じることを防ぐことができる。
【００１３】
上記（３）の構成を採用することにより、本発明の立体縫製きものの、特に長時間の着装などにより衿元に崩れが生じた場合でも、帯の下から手を入れ、衿先を引くことによりこれを直すことが容易であり、常に美麗に着こなすことの一助となる。
【００１４】
上記（４）の構成を採用することにより、上部後身頃のウエスト部に生地の余裕ができ、着用者の背中の丸みや腕の動きにより生じる吊れなどに柔軟に対応することができるほか、背中に生じる皺を脇方向に逃がすこととなりこれを見え難くするため、着装した際の後姿を美麗に見せることができる。
【００１５】
上記（５）の構成を採用することにより、該ループにウエストベルトを挿通して身頃を身体に引き寄せた際、前記ウエストベルトによる横上方向への引っ張りにより下衣部における右の生地に生じるよじれにつき、前記ループがよじれることによりこれが緩和され、着用者の体型差に応じて柔軟にフィットすることとなるため、不自然な皺の発生を防止することができる。
また、下部右衽の上端部が横上方向に引かれることとなるために右の褄先が上がることに繋がり、美しい着姿となる。
【発明の効果】
【００１６】
本発明の立体縫製きものは、上記のように数箇所における細部に改良を施した構成とされているため、これらが総合的に作用して、得られる立体縫製きものを着易く、着崩れしにくく、かつ不自然な皺などを極力生ぜずに、より自然に、美しく着こなせるものとなっている。
また、本発明の立体縫製きものは、きもの自体を着用者の体型に合致させて作製するため、ウエスト部にタオルを巻くなどといった、きものに合わせてこれを着易くするために従来行っていた体型の補正なども必要なく、かつ長時間装着した際などに着崩れが生じた場合にも手直しがし易いなど、常に着姿を美麗に保つことができる。
【発明を実施するための最良の形態】
【００１７】
以下、本発明の実施形態について、図面を参照しながら詳細に説明する。
図１〜５は、女性用、すなわち右が左側（左前）の立体縫製きものを構成する各部位を示す図である。
図１及び図２は本発明に係る立体縫製きものの正面図、図３はウエストベルト、及びループ取り付け位置の説明図、図４は下部右衽とお端折り部の端部を説明する図、図４は、本発明に係る立体縫製きものの背面図である。
【００１８】
図中、１は立体縫製きもの本体であり、上部左前身頃１１と、上部右前身頃１２と、上部後身頃１３、１４と、上部右衽１５と、上部左衽１５ａと、衿１６、ならびに袖１７からなる上衣部１０；下部左前身頃２１と、下部右前身頃２２と、下部後身頃２３と、下部右衽２４、ならびに下部左衽２４ａからなる下衣部２０；さらに上衣部１０と下衣部２０の間に設けられるお端折り部３０とから構成される。
本発明の立体縫製きものは、上衣部１０の下端縁１０３、１０４、下衣部２０の上端縁、ならびにお端折り部３０の上端縁とが一線上で縫着され、お端折り部３０の下端縁は垂れ下がるようにして縫製されている。
【００１９】
本実施態様の立体縫製きものは左前であり、右となる左側の身頃を構成する上部左前身頃１１の前幅１１ｗと上部右衽１５の前幅１５ｗとを合わせた寸法は、お端折り部３０における前幅３０ｗ、及び下部左前身頃２１の前幅２１ｗと同寸法となるように構成してある。
上部左前身頃１１、及び上部右前身頃１２からなる上部前身頃は、身体の形状に合わせるために、下部左前身頃２１、下部右前身頃２２からなる下部前身頃に対して各々上部後身頃１３、１４側（脇側）、すなわち背側に若干ずらして縫製してあるが、このずらしにより生じる前記上部前身頃の生地重ね部１１ａは左右の両身八ツ口１０１、１０１ａの辺りで上部後身頃１３、１４の各々の端部に重ねられる。
したがって、本発明においては、上記の上部左前身頃１１の前幅とは、前記上部左前身頃１１の前幅より前記生地重ね部１１ａを除いた部分についての前幅１１ｗを意味するものとする。また、上記のお端折り部の前幅とは、お端折り部３０の上端縁と衿付け斜線１８とが交わる位置からお端折り部３０の脇上端位置までの前幅３０ｗを意味するものとする。
【００２０】
また、図４にも示すように、上部後身頃１３、１４には、背中心よりも脇に近い位置、すなわち上部後身頃における脇線から背中心までの幅を１とした際、前記上部後身頃の脇線から背中心に向けて１/３の幅までの間において、その下端部にタック１０５、１０５ａを設けることにより、ウエスト部における余り布を処理してある。これらのタックを背中心に近い位置に設けると不自然な皺の原因となることがあるため上記のようにその取り付け位置を特定するものである。着用者の体型にもよるが、前記タックは３〜１０ｃｍ程度の生地を摘んで、０．５〜５ｃｍ程度のタックとするのが良い。前記タックは、左右対称に複数取っても構わない。
【００２１】
上部左前身頃１１と上部右前身頃１２とが対向している側の縁、すなわち衿付け斜線１８で示された部分には、衿１６が縫着されている。衿１６は、衿付け斜線１８とともに下側に僅かに膨らむように湾曲している。この湾曲による膨らみは、着用者が痩せた体型である場合には緩やかに、太った体型である場合には大きくなるように設計してあり、衿１６の中央部１９は、緩やかに湾曲した状態で上部後身頃１３、１４に縫着されている。
衿１６の先端である衿先は、図４に示されるように、左右の両衿先がお端折り部３０の上端よりも下方に垂れ下がるように長くし、前記両衿先の端部とお端折り部３０の上端とが縫着されず、各々独立してなるように構成する。衿先は、左右の両衿先について、おはし折部３０の上端から各々１０〜１５ｃｍ程度下方に垂れ下がるようにするとよい。
【００２２】
上部左前身頃１１と上部右前身頃１２において、上部後身頃に縫着される左右各々の部位のうち、約半分から下側の部分には左身八ツ口１０１、右身八ツ口１０１ａが各々開口形成されている。
上部左前身頃１１と上部右前身頃１２において、上部後身頃に縫着される左右各々の部位のうち、約半分から上側の部分は袖付け１０２になっており、袖付け１０２には一対の袖１７が各々縫着されている。
また、袖１７の内面には予め長襦袢の袖１７ａが縫着され、外観上はあたかも長襦袢を着装しているのと同様に見えるようになっている。
【００２３】
上部左前身頃１１と上部右前身頃１２からなる上部前身頃の下端縁１０３、及び上部後身頃１３、１４からなる上部後身頃の下端縁１０４は一線上に位置し、上部前身頃の下端線１０３も上部後身頃の下端線１０４も、その中央が上方に膨らむように緩やかに湾曲している。この下端縁１０３、及び下端縁１０４には、上端縁が前記下端縁と同様の曲率を有し、緩やかに湾曲した前記下衣部２０、及び同様な曲率で湾曲しているお端折り部３０が縫着されている。また、前記お端折り部３０の下端縁は下方に垂れ下がるようにしてある。
ここで、右である左側のお端折り部３０の端部と下部右衽２４の端部とは、図４のように各々独立してなる。すなわち、上衣部１０の下端縁１０３と下部右衽２４の上端縁とは縫着されるが、お端折り部３０の上端縁と下部右衽２４の上端縁について、その一部が縫着されることはあっても、その各々の端部については縫着されず、独立した形で存在するように構成される。
【００２４】
図中、３１、３２はウエストベルトであり、図３にその詳細が示されるように、右が左側である本実施態様においては、一方のウエストベルト３１の一端を左身八ツ口１０１付近であってお端折り部３０の左脇部上端付近の裏側に縫着し、他端には係止部３１ａを取り付けてある。もう一方のウエストベルト３２の一端は右身八ツ口１０１ａ付近であってお端折り部３０の右脇部上端付近の表側に縫着し、他端には係合部３２ａを形成してある。係合部３２ａは、前記ウエストベルトの他端を折り返して輪状とし、これを縫着することにより得ても良いし、前記他端に係止部３１ａが合致する金具などを取り付けても良
いが、上記のようにして前記ウエストベルトの他端を輪状とし、形成された輪を固定し、かつ輪の大きさを調節できる部材を取り付け、ウエストベルト３２の長さを調節できるように構成することが好ましい。
これらのウエストベルトは、ゴム製のものを用いるのが好ましく、後記するループ３３、３４に挿通可能な幅を有すると共に、少なくとも着用者のウエストを巻回する長さを有するものとする。
【００２５】
図３に示されるように、下部右衽２４の褄下上端部には、ウエストベルト３２を挿通するためのループ３３が形成され、下部左衽２４ａの褄下上端部には、ウエストベルト３１を挿通するためのループ３４が形成されている。このループ３３、３４は、前記ウエストベルトを挿通し、かつ案内するもので、少なくとも前記ウエストベルトが挿通可能な径を有するものとする。
ここで、右である下部右衽２４上端部に形成するループ３３については、下部右衽２４の上端部に突出して取り付けられるものとする。より詳細には、下部右衽２４の上端縁側の端部に、少なくとも４５〜１２０度の角度をもって上部に突出して取り付けられるものであり、好ましくは垂直に取り付けられるものである。また、下部左衽２４ａの上端部に形成されるループ３３は、下部左衽２４ａ上端部であればその表側、裏側どちらに取り付けても良い。
【００２６】
こうして得られる本実施形態における立体縫製きものは、以下のようにして着装する。
まず、本実施形態に係る立体縫製きもの１を羽織ると共に、袖１７に腕を通し、ウエストベルト３１をループ３４に挿通してから左身八ツ口１０１に挿通し、右側の身頃を身体に引き寄せる。次いで、ウエストベルト３２をループ３３に挿通してこれを右側から後ろに回し、先のウエストベルト３１については左側から後ろに回し、両ウエストベルト３１、３２を各々背側から身体の前部に引き寄せ、ウエストベルト３１の係止部３１ａとウエストベルト３２の係合部３２ａとを係合することで着装することができる。
【産業上の利用可能性】
【００２７】
本発明の立体縫製きものは、熟練者でなくとも、容易に着装可能な立体縫製きものとして利用できる。
【図面の簡単な説明】
【００２８】
【図１】本発明に係る立体縫製きものの正面図である。
【図２】本発明に係る立体縫製きものの正面図である。
【図３】ウエストベルト、及びループ取り付け位置の説明図である。
【図４】下部右衽とお端折り部の端部を説明する図である。
【図５】本発明に係る立体縫製きものの背面図である。
【符号の説明】
【００２９】
１  立体縫製きもの
１０  上衣部
１１  上部左前身頃
１１ａ  生地重ね部
１１ｗ  上部左前身頃の前幅
１２  上部右前身頃
１３  上部左後身頃
１４  上部右後身頃
１５  上部右衽
１５ａ  上部左衽
１５ｗ  上部右衽の幅
１６  衿
１７  袖
１８  衿付け斜線
１９  背中心
２０  下衣部
２１  下部左前身頃
２１ｗ  下部左前身頃の前幅
２２  下部右前身頃
２３  下後身頃
２４  下部右衽
３０  お端折り部
３０ｗ  お端折り部の前幅
３１，３２  ウエストベルト
３１ａ  係止部
３２ａ  係合部
３３，３４  ループ
１０１  左身八ツ口
１０１ａ  右身八ツ口
１０２  袖付け線
１０３，１０４  下端縁
１０５，１０５ａ  タック
【図１】
2007247135.tif 000003
【図２】
2007247135.tif 000004
【図３】
2007247135.tif 000005
【図４】
2007247135.tif 000006
【図５】
2007247135.tif 000007